(57)【要約】      （修正有）【課題】印刷方向における位相欠陥によるインクジェット印刷ノズルの印刷欠陥をより良好に識別し、修正する、印刷の質を分析する方法を提供する。【解決手段】計算機によって、インクジェット印刷機の印刷ヘッド内の印刷ノズルの状態を評価し、印刷ノズルの印刷の質を改良する方法であって、周期的に鉛直に印刷された等間隔の線の、特定数の水平な列から成る少なくとも１つのノズルテストパターンが印刷され、これらの線は上下に配置されており、ノズルテストパターンの各列においてそれぞれｎ番目の印刷ノズルだけがノズルテストパターンに関与しており、ｎは各列において、１と水平な列の特定数との間の異なる数に相当し、印刷されたノズルテストパターンが検出され、印刷ノズルの状態に関して、計算機によって評価され、次に、関与している印刷ノズルの状態に関連して、印刷ノズルの印刷の質を改良するための措置が講じられる。【選択図】図７
2020114666.tif 000002
【特許請求の範囲】
【請求項１】
計算機（６）によって、インクジェット印刷機（７）の印刷ヘッド（５）内の印刷ノズルの状態を評価し、印刷ノズルの印刷の質を改良する方法であって、
上下に配置されており、周期的に鉛直に印刷された等間隔の線（１２）の、特定数の水平な列から成る少なくとも１つのノズルテストパターン（１１）を印刷し、
前記ノズルテストパターン（１１）の各列においてそれぞれｎ番目の前記印刷ノズルだけが前記ノズルテストパターン（１１）に関与しており、ｎは、１から特定数の前記水平な列との間で各列において異なる数であり、
印刷された前記ノズルテストパターン（１１ａ）を認識し、デジタル化し、前記ノズルテストパターンに関与している前記印刷ノズルの状態（１７）に関して前記計算機（６）によって評価し、次に、関与している前記印刷ノズルの状態（１７）に関連して、前記印刷ノズルの印刷の質を改良するための措置を講じる方法において、
さらに、前記印刷ノズルが、前記水平な列の間に水平な線（１８）を印刷し、前記水平な線は、四角形の対象物（１４，１５）が形成されるように前記鉛直に印刷された等間隔の線（１２）を取り囲み、次に前記四角形の対象物は、前記計算機（６）によって、関与している前記印刷ノズルの状態（１７）の評価のために特有に用いられる
ことを特徴とする、計算機（６）によって、インクジェット印刷機（７）の印刷ヘッド（５）内の印刷ノズルの状態を評価し、印刷ノズルの印刷の質を改良する方法。
【請求項２】
前記計算機（６）は、画像処理アルゴリズムを用いてそれぞれ、
・見つけ出された前記四角形の対象物（１４）の数が、予期される、前記鉛直に印刷された等間隔の線（１２）の数と比較されることによって全ての鉛直に印刷された等間隔の線（１２）が存在しているかを検査すること、
・形成された前記四角形の対象物（１４，１５）が完全であるか、すなわち間隙を有していないかを検査すること、
・前記鉛直に印刷された等間隔の線（１２）が完全に印刷されているか、すなわち中断箇所を有していないかを検査すること、
・見つけ出された前記四角形の対象物（１４）がそれぞれ自身の予期される通常のサイズに相当するかを検査すること、
によって、前記ノズルテストパターン（１１）に関与している前記印刷ノズルの状態（１７）を前記四角形の対象物（１４，１５）から導出する、請求項１記載の方法。
【請求項３】
複数のピクセルによる所定の画線太さを有する前記水平な線（１８）を印刷し、ここでは、関与している各印刷ノズルによって比較的大きい滴体積を使用する、請求項１または２記載の方法。
【請求項４】
印刷された前記ノズルパターン（１１ａ）を、インライン画像処理システム（１０）によって検出し、前記計算機（６）は、前記インライン画像処理システム（１０）の前記画像処理計算機に相当する、請求項１から３までのいずれか１項記載の方法。
【請求項５】
印刷された前記ノズルテストパターン（１１ａ）の画像撮影時に、軽度の過度露光を使用し、これによって、機能が低下したノズルによって生じた、中断箇所を有する、鉛直に印刷された等間隔の線（１２）がより強く透ける、請求項１から４までのいずれか１項記載の方法。
【請求項６】
検出され、デジタル化された前記ノズルパターン（１１ｂ）を、前記計算機によって、評価のために、動的に検出された閾値に従って二値化し、前記計算機（６）は、このように生成された、二値化された前記ノズルテストパターン（１１ｃ）に基づいて、前記四角形の対象物（１４，１５）を検出する対象物識別を実行する、請求項１から５までのいずれか１項記載の方法。
【請求項７】
前記四角形の対象物（１４，１５）の評価による、前記ノズルパターン（１１）に関与している前記印刷ノズルの状態（１７）の特定のために、前記四角形の対象物（１４，１５）の平均サイズを統計的に検出し、
前記計算機（６）によって、通常の四角形の存在から、各印刷ノズルの状態（１７）を、正、として導出する、請求項６記載の方法。
【請求項８】
前記印刷ノズルの印刷の質の改良のための措置は、印刷の所望の質のパラメータの範囲外にある状態（１７）を有している印刷ノズルをオフにし、次に、隣接している印刷ノズルによってこれを補償し、印刷時点を整合させることによって、印刷方向において印刷点の偏差を有する印刷ノズルを補償することを含んでいる、請求項１から７までのいずれか１項記載の方法。
【請求項９】
請求項１から８までのいずれか１項記載の方法において使用されるノズルテストパターン（１１）であって、
前記ノズルテストパターンは、周期的に鉛直に印刷された等間隔の線（１２）の、特定数の水平な列から成り、前記線は上下に配置されており、
前記ノズルテストパターン（１１）の各列においてそれぞれｎ番目の前記印刷ノズルだけが前記ノズルテストパターン（１１）に関与しており、ｎは、１と前記水平な列の数との間で各列において異なる数に相当するノズルテストパターンにおいて、
さらに、前記水平な列の間に水平な線（１８）があり、前記水平な線（１８）は、四角形の対象物（１４，１５）が形成されるように、前記鉛直に印刷された等間隔の線（１２）を取り囲む
ことを特徴とするノズルテストパターン（１１）。
【請求項１０】
前記水平な線（１８）は、複数のピクセルの画線太さを有している、請求項９記載のノズルテストパターン。
【発明の詳細な説明】
【技術分野】
【０００１】
本発明は、改良された印刷ノズルテストパターンならびにこのような印刷ノズルテストパターンを使用してインクジェット印刷ヘッド内の印刷ノズルの状態を評価する方法に関する。
【０００２】
本発明はデジタル印刷の技術領域に属する。
【０００３】
インクジェット印刷機の使用時に生じる印刷の質には、インクジェット印刷機のインクジェット印刷ヘッドの各印刷ノズルの目下の状態が決定的に重要である。したがって、このような状態を評価するために、関連している全ての印刷ヘッドもしくは印刷ノズルが作成に関与している特定のテストパターンを印刷し、次に、このようなテストパターンを相応に評価することが従来技術から知られている。次に、この評価を用いて、このテストパターンの印刷に関与している印刷ノズルの目下の状態が推測され得る。このような目的に適している、多くの使用可能なテストパターンが従来技術から知られている。しかし、生成されたテストパターンを検出するカメラシステムの画像解像度がしばしば問題になる。なぜなら、このようなカメラシステムの画像解像度はしばしば、テストされるべきインクジェット印刷機の最大印刷解像度よりも低いからである。末端作用において、これは、評価を行う画像処理計算機が、個々の印刷ノズルがテストパターンにおいて関与している画像対象物を分解し、相互に別個に評価することがもはやできないことを意味している。したがって、従来技術において、個々の印刷ノズルと印刷された対象物の複数の列から成るテストパターン構造が定着し、ここでは各列において、常に、印刷ヘッドのそれぞれｎ番目の印刷ノズルだけが自身の画像対象物を印刷する。多くの場合にその下に配置されている次の列ではｎ＋ｘ番目の印刷ノズルが印刷に関与し、さらにその下に位置する次の列ではｎ＋ｙ番目の印刷ノズルが印刷に関与し、これは、テストされるべきインクジェット印刷ヘッドの印刷ノズル全てが該当するテストパターンの印刷に関与するまで続く。このようにして生成されたテストパターンは次に、カメラシステムを用いて問題無く分解され、したがって個々の画像対象物は、該当する印刷ノズルに問題無く割り当てられる。個々の印刷ノズルの印刷対象物は、ここで通常は、生成する印刷ノズルによって印刷方向において実現される短い画線である。次にこのような個々の画線が、画像処理計算機によって、該当する印刷ノズルの印刷の質の特定のパラメータに関して極めて良好に評価される。個々のパラメータは例えば、振幅とも称される個々の印刷ノズルの印刷太さ、印刷方向における個々の印刷ノズルの印刷点の偏差ならびに印刷方向に対して直交する個々の印刷ノズルの印刷点の偏差等である。
【０００４】
しかし、従来技術において目下使用されているテストパターンならびに対応する評価方法での問題は、印刷方向における位相の評価である。必要な測定精度を得るために、評価時に、該当する画線の信号が印刷方向において平均化されるので、印刷方向における印刷ノズルの発生している位相欠陥は多くの場合に識別されない。なぜなら、この信号は印刷方向において、測定領域において僅かな、比較的弱い振幅しか有していないからである。すなわち、このようなパラメータに関するインクジェット印刷ヘッドの印刷ノズルの状況の評価は、従来技術から公知のテストパターンおよび評価方法によっては困難である。
【０００５】
したがって、本発明の課題は、印刷方向における位相欠陥によるインクジェット印刷ノズルの印刷欠陥をより良好に識別し、修正する、インクジェット印刷機の印刷の質を分析する方法を開示することである。
【０００６】
上述の課題は、計算機による、インクジェット印刷機の印刷ヘッド内の印刷ノズルの状態を評価し、印刷ノズルの印刷の質を改良する方法によって解決され、ここでは、周期的に鉛直に印刷された等間隔の線の、特定数の水平な列から成る少なくとも１つのノズルテストパターンが印刷される。これらの線は上下に配置されている。ここで、デジタルノズルテストパターンの各列においてそれぞれｎ番目の印刷ノズルだけがデジタルノズルテストパターンに関与しており、ｎは各列において、１と水平な列の特定数との間の異なる数に相当する。このようなノズルテストパターンは検出され、デジタル化され、このノズルテストパターンに関与している印刷ノズルの状態に関して、計算機によって評価され、次に、関与している印刷ノズルの状態に関連して、印刷ノズルの印刷の質を改良するための措置が講じられる。この方法は、さらに、印刷ノズルが、水平な列の間に水平な線を印刷することを特徴とする。これらの水平な線は、四角形の対象物が形成されるように、鉛直に印刷された等間隔の線を取り囲む。ここでこの四角形の対象物は計算機によって、関与している印刷ノズルの状態の評価のために特有に用いられる。この四角形の対象物は、従来技術から知られている個々の画線とちょうど同じように、印刷に関与している印刷ノズルの状態に関する情報を提供する。四角形の対象物はここで、側面ではこれらの画線形状の対象物から成り、上方および下方の接続している面は水平な線から成る。したがって、四角形の対象物は、印刷方向における位相欠陥を求めるのに傑出して適している。なぜなら、このような場合には、個々の印刷ノズルによって生成された画線の形態の四角形の対象物の側面はずれており、これによって四角形の対象物が閉じられていないからである。すなわち、閉じていない四角形は、迅速かつ容易に、印刷方向における位相欠陥を検出することを示している。
【０００７】
この方法の有利な発展形態は、属する従属請求項から、ならびに属する図面による説明から明らかになる。
【０００８】
本発明の方法の有利な発展形態では、計算機が画像処理アルゴリズムを用いてそれぞれ以下の検査をすることによって、計算機は、ノズルテストパターンに関与している印刷ノズルの状態を四角形の対象物から導出する。すなわち、見つけ出された四角形の対象物の数が、予期される、鉛直に印刷された等間隔の線の数と比較されることによって全ての鉛直に印刷された等間隔の線が存在しているかを検査すること、形成された四角形が完全であるか、すなわち間隙を有していないかを検査すること、鉛直に印刷された等間隔の線が完全に印刷されているか、すなわち中断箇所を有していないかを検査すること、さらに、見つけ出された四角形がそれぞれ自身の予期される通常のサイズに相当するかを検査することである。すなわち本発明の方法によって、特有に、印刷方向における位相欠陥のパラメータが評価され、同様に別のパラメータ、例えば振幅または印刷方向に直交する位相欠陥も評価される。振幅はここで印刷太さの他に、極端な場合には、ミッシングノズルの形態の個々の印刷ノズルの故障も示す。これは、単に、見つけ出された四角形の対象物の数が、予期される、鉛直に印刷された等間隔の線の数と比較されることによって、本発明の方法によって極めて容易に検出される。この数は同様に、既知である、印刷に関与している印刷ノズルの数に等しい。個々の四角形の対象物は、ここで、画像処理アルゴリズムを用いて検出され、ここで自身の数に関してだけ評価されればよい。さらに、見つけ出された四角形が完全であるか、つまり閉じられており、間隙を有していないかがテストされる。ここでこのようなテストによって、極めて容易に、印刷方向において位相欠陥が生じ得るのかが求められる。振幅、すなわち個々の印刷ノズルの印刷太さの一般的な評価は、四角形の側面の長さを成す鉛直に印刷された等間隔の線が、中断箇所を有しているか、すなわち完全であるか否かについて検査されることによって行われる。さらに、印刷方向に対向する位相欠陥も求められる。これは、見つけ出された四角形がそれぞれ自身の予期される通常のサイズに相当するかが検査されることによって行われる。ここで、見つけ出された四角形の測定されたサイズが、予期されるであろうサイズのほぼ二倍の大きさである場合、これは、ミッシングノズルに対する直接的な示唆である。すなわち、発生しているミッシングノズル、つまり欠陥を有する印刷ノズルは重複して検出され、一方では、見つけ出された四角形の数を、印刷に関与している印刷ノズルの数と比較することによって検出され、他方では、見つけ出された四角形のサイズを検査することによって検出される。しかしサイズの検査によって、印刷方向に直交する位相欠陥も求められる。このような場合には、相応する四角形は、予期されているサイズよりも小さく、また、該当する印刷ノズルによって印刷された、鉛直の等間隔の線の他方の側で隣接している四角形は相応に大きいはずである。隣接している各四角形のサイズの変化はここで、二倍の大きさにおいて探されるべきではなく、サイズの僅かな偏差において探されるべきである。ここでは、ある四角形が予期されているサイズよりも小さく、隣接している四角形が予期されているサイズよりも大きいという形での、常に発生するサイズ欠陥に基づいて、印刷方向に直交する位相欠陥が検出される。
【０００９】
本発明の方法の別の有利な発展形態では、複数のピクセルによる画線太さを有する水平な線が印刷され、ここでは、関与している各印刷ノズルによって比較的大きいインク滴体積が使用される。鉛直に印刷された等間隔の線を取り囲むことによって四角形の対象物を生成する水平な線は当然、それら自身、場合によって存在する「ミッシングノズル」もしくは欠陥を有する印刷ノズルによって侵害されてはいけないので、これらの水平な線は、複数のピクセルによる画線太さで印刷されるべきである。これは、鉛直の等間隔の線の他に当然ながら水平な線も印刷しなければならない、関与している全ての印刷ノズルが、相応に比較的大きいインク滴体積を、水平な線の印刷に使用することによって行われる。ここで個々の印刷ノズルが「ミッシングノズル」として故障している場合、増大したインク滴体積によって、水平な線における間隙が相応に隣接している印刷ノズルによって塞がれ、これによって完全な水平な線と、相応する、閉じられている四角形が得られる。閉じていない四角形はここで、印刷ノズルの位相欠陥が印刷方向において存在していることによって、または極端な場合には、複数の、欠陥を有する隣接している「ミッシングノズル」の発生によってのみ発生し得る。しかし、インクジェット印刷機の印刷の質にとって極めて不利である、このような、隣接している「ミッシングノズル」の発生は同様に、発生している四角形のサイズを用いて極めて容易に検出される。
【００１０】
本発明の方法の有利な発展形態では、ノズルパターンは、インライン画像処理システムによって検出され、計算機は、インライン画像処理システムの画像処理計算機に相当する。四角形の対象物を伴うノズルパターンの評価はここで、ノズルパターンが有利にはインライン画像処理システムによって検出されることによって実現され、ここでインライン画像処理システムはカメラシステムを有しており、このカメラシステムはインクジェット印刷機内に、通常は最後の印刷ヘッドの後に取り付けられており、これは所期のようにノズルパターンを検出し、これを、接続されている画像処理計算機を用いて相応に評価する。当然、印刷機外のカメラを用いた外部評価も可能であり、この場合には計算機は、このように検出されたテストパターンが供給される任意の計算機であってよいが、いずれにせよ、一般的な印刷の質の検査のために多くの印刷機において設けられているインライン画像処理システムの使用が有利である。なぜなら、この場合には付加的なハードウェアを使用する必要がなく、計算機によってサポートされた、本発明の方法の実施は、インライン画像処理システムによって提供された画像データの、同様にソフトウェアによってサポートされた印刷の質の分析に極めて良好に組み込まれるからである。
【００１１】
本発明の方法の有利な発展形態では、画像撮影時に、軽度の過度露光が使用され、これによって、機能の低下したノズルによって生じた、中断箇所を有する、鉛直に印刷された等間隔の線からより強く光がもれて線が透けて見える。このような軽度の過度露光によって、中断箇所を有する等間隔の線の形態ではっきりと表れる振幅のパラメータに鑑みて、テストパターンの評価が格段に改良される。
【００１２】
本発明の方法の有利な発展形態では、検出され、デジタル化されたノズルパターンが、計算機によって、評価のために、動的に検出された閾値に従って二値化され、計算機は、このように生成されたバイナリ画像に基づいて対象物識別を実行し、ここから四角形が得られる。すなわち、個々の四角形の対象物の検出は、特有の画像処理アルゴリズムを用いて実行される。これには有利には、上述した手法が適しており、ここでは、ノズルパターンを有する検出されたデジタル画像が二値化され、次に、生成されたバイナリ画像によって対象物識別が実行される。ここで二値化によって、四角形の対象物識別が容易になる。
【００１３】
本発明の方法の有利な発展形態では、四角形の評価による、ノズルパターンに関与している印刷ノズルの状態の特定のために、四角形の平均サイズが統計的に検出される。ここで、計算機によって、通常の四角形の存在から、各印刷ノズルの状態が正しく動作している、正、として導出される。これによって、比較的容易に、インクジェット印刷機のテストされるべき印刷ノズルの状況が評価される。ノズルテストパターンに、通常の四角形が存在する場合には、ここから、全てのパラメータが振幅ならびに印刷方向および印刷方向に直交する方向における位相に関して、所定の値の範囲にあり、したがって関与している印刷ノズルが正しく動作していることが想定される。ここでこの通常の四角形は、予期される平均サイズの、閉じている四角形に関して、予期されるパラメータに相当している。
【００１４】
本発明の方法の有利な発展形態では、印刷ノズルの印刷の質の改良のための措置は、所望の印刷の質の範囲外にある状態を有している印刷ノズルをオフにし、次に、隣接している印刷ノズルによってこれを補償し、印刷時点を整合させることによって、印刷方向において印刷点の偏差を有する印刷ノズルを補償することを含んでいる。どの補償方法が使用されるのかは、該当するインクジェット印刷機の能力に関連している。しかし、隣接している印刷ノズルによる補償が特に適していることが判明している。この場合には、隣接している印刷ノズルのインク体積が相応に増やされ、これによって、生じている「ホワイトライン」が合流する。
【００１５】
さらに、本発明は、上述した請求項のうちの１つに記載されている方法において使用されるノズルテストパターンから成り、このノズルテストパターンは、周期的に鉛直に印刷された等間隔の線の、特定数の水平な列から成る。これらの線は上下に配置されている。ここで、デジタルノズルテストパターンの各列においてそれぞれｎ番目の印刷ノズルだけがデジタルノズルテストパターンに関与しており、ｎは、１から水平な列の特定数との間における各列において異なる数に相当する。このノズルテストパターンは、さらに、水平な列の間に水平な線があることを特徴とする。これらの水平な線は、四角形の対象物が形成されるように、鉛直に印刷された等間隔の線を取り囲む。
【００１６】
本発明のノズルテストパターンの有利な発展形態では、水平な線は、複数のピクセルによる所定の画線太さを有している。本発明のノズルテストパターンに対しても、鉛直に印刷された等間隔の線を取り囲むことによって四角形の対象物を生成する水平な線が、それら自身、場合によって存在する「ミッシングノズル」もしくは欠陥を有する印刷ノズルによって侵害されてはいけないということが当てはまるので、これらの水平な線は、複数のピクセルによる所定の画線太さで印刷されるべきである。このために、上述したように、鉛直の等間隔の線の他に当然ながら水平な線も印刷しなければならない、関与している全ての印刷ノズルが、相応する、比較的大きいインク滴体積を、水平な線の印刷に使用する。個々の印刷ノズルが「ミッシングノズル」として故障している場合、増大したインク滴体積によって、水平な線における間隙が相応に隣接している印刷ノズルによって塞がれ、これによって完全な水平な線および相応に閉じた四角形が得られる。
【００１７】
本発明自体ならびに構造的かつ／または機能的に有利な、本発明の発展形態を以降で、属する図面を参照して、少なくとも１つの有利な実施例に基づいてより詳細に説明する。図面では、相応する要素にはそれぞれ同じ参照符号が付けられている。
【図面の簡単な説明】
【００１８】
【図１】枚葉インクジェット印刷機の構造の例
【図２】「ミッシングノズル」によって生じた「ホワイトライン」の概略的な例
【図３】１０マスのパターンを有する２つの行のノズルテストパターンの一部分
【図４】上記の一部分における四角形の対象物識別
【図５】欠陥を有する四角形を用いた位相欠陥の対象物識別
【図６】分割された、欠陥を有する四角形を用いた位相欠陥の対象物識別
【図７】本発明の方法の概略的なフロー
【００１９】
有利な実施形態の適用領域は、インクジェット印刷機７である。このような印刷機７の基本的な構造の例は、印刷基材２を印刷機構４に供給するフィーダ１から、デリバリ３までであり、図１に示されている。印刷機構では印刷ヘッド５によって印刷が施される。ここでこれは、制御計算機６によってコントロールされる枚葉インクジェット印刷機７である。このような印刷機７の動作時には、上述したように、印刷機構４内の印刷ヘッド５内で、個々の印刷ノズルが故障することがある。この結果、「ホワイトライン」９もしくは多色印刷の場合には、歪んだ色値が生じる。印刷画像８におけるこのような「ホワイトライン」９の例は、図２に示されている。
【００２０】
このような「ホワイトライン」９を検出するために、規則的な間隔で、印刷された対象物１２（多くの場合にはこれは印刷方向における画線１２の形態である）の複数の列を伴うノズルテストパターン１１が印刷される。ここで個々の印刷ノズルはそれぞれ、対象物１２の各列に対して順番に関与している。印刷されたノズルテストパターン１１ａは次に、検出され、デジタル化され、個々の対象物１２が計算機６によって計測され、評価される。対象物１２の状態から、計算機６は次に、印刷ノズルの状態１７の評価を、振幅および位相等のパラメータに関して実行することができる。計算機６として、印刷機の制御計算機が使用される。しかし多くの場合には、画像検出システム１０の計算機が使用され、これによって印刷されたノズルテストパターン１１ａが検出され、デジタル化される。画像検出システム１０は、ここで、有利にはインラインで、インクジェット印刷機７内で、印刷ヘッド５の後に取り付けられている。
【００２１】
本発明は、ここで、このような再デジタル化されたノズルテストパターン１１ｂの評価に関して、画像処理、具体的には対象物分割の作用を利用する。図７は、概略的に、本発明の方法のフローを有利な実施形態で示している。類似の画線形状のノズルテストパターン１１が、記載されたように使用される。ここで各印刷ノズルは鉛直な線１２を印刷し、ある行において印刷ノズルの間隔がＮの場合には、Ｎ個の行が上下（印刷方向）に生じる。ここでは、印刷ノズルの小さい使用可能な点が使用される。ノズルの全体は付加的に、シームレスに、行の間に、列状に配置されている鉛直な（印刷方向に延びる）線もしくは画線１２の間に、水平な（印刷方向に対して垂直に延びる）線１８を書き入れる。このような線１８は複数のピクセルから成り、このために、必要な場合には、線１２よりも比較的大きいインク滴体積が使用され、これによって印刷ノズルは大きい点を書き入れる。これによって、欠陥を有する印刷ノズルがこのような水平な線１８において、間隙を生成することが回避される。通常の場合には四角形１４がノズルテストパターン１１内に生じるように、水平な線１８は鉛直な線１２を取り囲んでいる。これは例示的に図３に示されている。従来技術において、このような水平な線１８は知られていない。従来技術では、画線の行のより良好な区別のために自由選択的に使用される水平な線も存在しているが、これらは閉じておらず、ノズルテストパターン１１において四角形１４を形成しない。印刷されたノズルパターン１１ａは次に、画像検出システム１０によって撮影される。画像撮影時には、有利には、軽度の過度露光が使用され、これによって、機能が低下したノズルによる、中断箇所を有する線がより強く透けて見える。再デジタル化されたノズルテストパターン１１ｂは次に、計算機６によって、動的に検出された閾値に従って二値化され、これによって、二値化されたノズルテストパターン１１ｃが生じる。これはより良好に評価される。
【００２２】
四角形１４はここで、計算機６によって所期のように、対象物識別のための画像処理アルゴリズムを用いて、二値化されたノズルテストパターン１１ｃにおいて探され、評価される。図４において見て取れるように、このために四角形１４の平均サイズが統計的に検出される。ここでは、特定の印刷ノズル状態１７によって特定の欠陥画像が四角形１４において生じる。例えば、印刷ノズルが完全に故障している場合には、線１２は書き入れられず、ノズルテストパターン内のこの箇所において予期される、閉じている四角形１４は形成されない。計算機６はここでその代わりに、予期されているもののほぼ二倍のサイズの四角形を見つけ、これによって、印刷ノズルが欠陥を有することを推測することができる。これに対して印刷ノズルに位相欠陥１３がある場合、すなわちＹ方向もしくは印刷方向における偏差がある場合、閉じている四角形１４は生成されない。なぜなら、間隙が生じているからである（図５も参照）。ここではその代わりに、開いている四角形１５が生じている。計算機６もしくは画像処理アルゴリズムはここで、閉じている四角形１４が存在せず、予期されている、通常の四角形１４とは異なり得る別の対象物１５が存在していることを識別し、これによって位相欠陥１３を検出する。印刷ノズルに、中断につながる障害がある場合には、ここから生じる振幅欠陥は次のことによって求められる。すなわち、鉛直な線が中断箇所を有している、もしくは完全に書き入れられていないことによって求められる。印刷ノズルがＸ方向に傾斜している場合、すなわち印刷方向に対して横向きに傾斜している場合、２つの、閉じている四角形１４が生じ、それらの四角形のサイズはそれぞれ僅かに、通常のサイズとは異なっている。該当する印刷ノズルが僅かに左側へ印刷する場合、左に置かれる四角形１４は僅かに小さくなる。印刷ノズルが右側に偏差している場合、置かれる四角形１４は相応に小さくなる。したがって四角形１４のこのようなサイズの偏差から、関与している印刷ノズルの偏差が識別される。
【００２３】
Ｘ方向における故障している印刷ノズル、振幅欠陥ならびに位相欠陥は基本的には、本発明の四角形を用いずに、通常のノズルテストパターンによっても検出される。したがって四角形１４を伴う本発明のノズルテストパターン１１もしくはこれを評価するための本発明の方法の主要な利点は、Ｙ方向における位相欠陥１３を格段に効率的に検出することにある。このような位相欠陥は、通常のノズルテストパターンによっては検出困難である、もしくは全く検出されない。
【００２４】
四角形１４の対象物識別、特にＹ方向における位相欠陥１３の検出のための、説明された実施形態はさらに改良される。このような改良は、図６に示されているような、計算機６によってノズルパターンの列がより小さい水平方向の領域１６に分けられる別の有利な実施形態において行われる。計算機６はここで、領域１６毎に振幅信号を特定し、これを以降のように評価する。
【００２５】
鉛直な印刷ノズル線１２が予期されるセルが、振幅信号を特定するために使用される。場合によっては、ノズル線の内側の領域１９だけが信号の特定に使用され、これによって、信号における水平な線１８の過度放射も回避される。セルの内側の領域１９は、鉛直な印刷ノズル線１２が予期される領域である。ここで内側の領域１９は水平に、複数の部分領域に区分けされる。水平な線１８の周りの白抜きされた領域も使用される場合、もしくは振幅信号の周りの部分領域が特定されるべき場合、通常、振幅信号は過度放射のために、同じであるはずである、またはより強いはずである。しかし、水平方向のセパレータでの２つの部分領域のうちの１つにおいて振幅信号が、振幅信号を特定するための元来の内側の領域１９よりも小さい場合、印刷ノズルの位相欠陥１３が存在している。
【符号の説明】
【００２６】
１  フィーダ
２  目下の印刷基材／目下の印刷枚葉紙
３  デリバリ
４  インクジェット印刷機構
５  インクジェット印刷ヘッド
６  計算機
７  インクジェット印刷機
８  目下の印刷枚葉紙上の印刷画像
９  ホワイトライン
１０  インライン画像検出システム
１１  ノズルテストパターン
１１ａ  印刷されたノズルテストパターン
１１ｂ  検出された、再デジタル化されたノズルテストパターン
１１ｃ  二値化されたノズルテストパターン
１２  鉛直な印刷ノズル線
１３  印刷方向における位相欠陥を有する印刷ノズル画線
１４  対象物識別によって検出された、閉じている四角形
１５  開いている四角形
１６  四角形のより小さい評価領域
１７  求められた印刷ノズル状態
１８  ノズルテストパターンにおける水平な線
１９  振幅信号を特定するための内側の領域
【図１】
2020114666.tif 000003
【図２】
2020114666.tif 000004
【図３】
2020114666.tif 000005
【図４】
2020114666.tif 000006
【図５】
2020114666.tif 000007
【図６】
2020114666.tif 000008
【図７】
2020114666.tif 000009
【外国語明細書】
2020114666.tif 000010
2020114666.tif 000011
2020114666.tif 000012
2020114666.tif 000013
2020114666.tif 000014
2020114666.tif 000015
2020114666.tif 000016
2020114666.tif 000017
2020114666.tif 000018
2020114666.tif 000019
2020114666.tif 000020
2020114666.tif 000021
2020114666.tif 000022
2020114666.tif 000023
2020114666.tif 000024
2020114666.tif 000025
2020114666.tif 000026
2020114666.tif 000027
2020114666.tif 000028
2020114666.tif 000029
2020114666.tif 000030